(57)【要約】      （修正有）【課題】ブルートゥース無線伝送手段を内蔵する赤外線リモコン構造を提供する。【解決手段】主にブルートゥース無線伝送手段を内蔵する赤外線リモコン構造は、マイクロコントロールユニットは信号処理及びデコード/エンコード動作を執行し、赤外線発射信号拡大回路はマイクロコントロールユニットが出力する家電製品の各ファンクションキー制御に使用する周波数及びコントロールコード信号を拡大し、赤外線発光ダイオードは赤外線信号を発射し、ブルートゥースモジュールはブルートゥース機能を備える電子製品が行うブルートゥース無線伝送のデータを受信し、データをマイクロコントロールユニットに伝送し処理を行う。【選択図】図２
0003135141.tif 000002
【実用新案登録請求の範囲】
【請求項１】
主にブルートゥース無線伝送手段を内蔵する赤外線リモコン構造は、マイクロコントロールユニット、赤外線発射信号拡大回路、赤外線発光ダイオード、ブルートゥースモジュールを含み、
前記マイクロコントロールユニットは、信号処理及びデコード/エンコード動作を行う手段を有し該手段により執行し、
前記赤外線発射信号拡大回路は、該マイクロコントロールユニットが出力する家電製品の各ファンクションキー制御に使用する周波数及びコントロールコード信号を拡大し、
前記赤外線発光ダイオードは、赤外線信号を発射し、
前記ブルートゥースモジュールは、ブルートゥース機能を備える電子製品が行うブルートゥース無線伝送のデータを受信し、該データを該マイクロコントロールユニットに伝送し処理を行うことを特徴とするブルートゥース無線伝送手段を内蔵する赤外線リモコン構造。
【請求項２】
前記ブルートゥース無線伝送を内蔵する赤外線リモコン構造は、さらに電源電圧安定回路を含むことを特徴とする請求項１記載のブルートゥース無線伝送手段を内蔵する赤外線リモコン構造。
【請求項３】
前記電源電圧安定器の電力供給源は、電池組、或いは変圧器の内の一つであることを特徴とする請求項２記載のブルートゥース無線伝送手段を内蔵する赤外線リモコン構造。
【請求項４】
前記マイクロコントロールユニットは、さらに発信器を連接することを特徴とする請求項１記載のブルートゥース無線伝送手段を内蔵する赤外線リモコン構造。
【請求項５】
前記発信器は、石英材質により構成することを特徴とする請求項４記載のブルートゥース無線伝送手段を内蔵する赤外線リモコン構造。
【請求項６】
前記マイクロコントロールユニットは、さらに大部分の家電のリモコンパラメーター表を内蔵し、該リモコンパラメーター表は家電製品の各ファンクションキー制御に使用する周波数及びコントロールコードを記載することを特徴とする請求項１記載のブルートゥース無線伝送手段を内蔵する赤外線リモコン構造。
【請求項７】
前記家電製品は、オーディオ／ビデオシステム、音声プレーヤー、無線テレビ、有線テレビ、高密度Ａ／Ｖ光ディスクプレーヤー、録画機能付プレーヤー、クーラー、及び赤外線リモコン受信機能を備える設備の内の一つであることを特徴とする請求項１記載のブルートゥース無線伝送手段を内蔵する赤外線リモコン構造。
【請求項８】
前記ブルートゥース機能を備える電子製品は、デスクトップコンピュータ、ノート型コンピュータ、ＰＤＡ、携帯電話端末、スマートフォン及びセットトップボックスの内の一つであることを特徴とする請求項１記載のブルートゥース無線伝送手段を内蔵する赤外線リモコン構造。
【請求項９】
前記セットトップボックスの信号供給源は、ローカルエリアネットワーク（LAN）、ブロードバンドネットワーク（ADSL及びCABLEを含む）及び一般電話線（PSTN及びLease Lineを含む）の内の一つであることを特徴とする請求項８記載のブルートゥース無線伝送手段を内蔵する赤外線リモコン構造。
【請求項１０】
主にブルートゥース無線伝送手段を内蔵する赤外線リモコン構造は、マイクロコントロールユニット、若干の赤外線発光ダイオード、若干の赤外線感光ダイオード、赤外線発射信号拡大回路、赤外線受信信号拡大回路、ブルートゥースモジュール、保存ユニットを含み、
該マイクロコントロールユニットは、信号処理及びデコード/エンコード動作を執行し、
前記若干の赤外線発光ダイオードは、無線赤外線信号を発射し、
前記若干の赤外線感光ダイオードは、無線赤外線信号を受信し、
前記赤外線発射信号拡大回路は、該マイクロコントロールユニットが出力する家電製品の各ファンクションキー制御に使用する周波数及びコントロールコード信号を拡大し、
前記赤外線受信信号拡大回路は、赤外線感光ダイオードが出力する家電製品の各ファンクションキー制御に使用する周波数及びコントロールコード信号を拡大し、
前記ブルートゥースモジュールは、ブルートゥース機能を備える電子製品が行うブルートゥース無線伝送のデータを受信し、該データを該マイクロコントロールユニットに伝送し処理を行い、
前記保存ユニットは、新設定リモコンの周波数及びコントロールコードを保存することを特徴とするブルートゥース無線伝送手段を内蔵する赤外線リモコン構造。
【請求項１１】
前記ブルートゥース無線伝送を内蔵する赤外線リモコン構造は、さらに電源電圧安定回路を含むことを特徴とする請求項１０記載のブルートゥース無線伝送手段を内蔵する赤外線リモコン構造。
【請求項１２】
前記電源電圧安定器の電力供給源は、電池組或いは変圧器の内の一つであることを特徴とする請求項１１記載のブルートゥース無線伝送手段を内蔵する赤外線リモコン構造。
【請求項１３】
前記マイクロコントロールユニットは、さらに発信器を連接することを特徴とする請求項１０記載のブルートゥース無線伝送手段を内蔵する赤外線リモコン構造。
【請求項１４】
前記発信器は、石英材質により構成することを特徴とする請求項１３記載のブルートゥース無線伝送手段を内蔵する赤外線リモコン構造。
【請求項１５】
前記マイクロコントロールユニットは、さらに大部分の家電のリモコンパラメーター表を内蔵し、該リモコンパラメーター表は家電製品の各ファンクションキー制御に使用する周波数及びコントロールコードを記載することを特徴とする請求項１０記載のブルートゥース無線伝送手段を内蔵する赤外線リモコン構造。
【請求項１６】
前記家電製品は、オーディオ/ビデオシステム、音声プレーヤー、無線テレビ、有線テレビ、高密度Ａ／Ｖ光ディスクプレーヤー、録画機能付プレーヤー、クーラー、及び赤外線リモコン受信機能を備える設備の内の一つであることを特徴とする請求項１０記載のブルートゥース無線伝送手段を内蔵する赤外線リモコン構造。
【請求項１７】
前記ブルートゥース機能を備える電子製品は、デスクトップコンピュータ、ノート型コンピュータ、ＰＤＡ、携帯電話端末、スマートフォン及びセットトップボックスの内の一つであることを特徴とする請求項１０記載のブルートゥース無線伝送手段を内蔵する赤外線リモコン構造。
【請求項１８】
前記ブルートゥース機能を備える電子製品は、デスクトップコンピュータ、ノート型コンピュータ、ＰＤＡ、携帯電話端末、スマートフォン及びセットトップボックスの内の一つであることを特徴とする請求項１０記載のブルートゥース無線伝送手段を内蔵する赤外線リモコン構造。
【請求項１９】
前記セットトップボックスの信号供給源は、ローカルエリアネットワーク（LAN）、ブロードバンドネットワーク（ADSL及びCABLEを含む）及び一般電話線（PSTN及びLease Lineを含む）の内の一つであることを特徴とする請求項１６記載のブルートゥース無線伝送手段を内蔵する赤外線リモコン構造。
【請求項２０】
前記保存ユニットは、電圧消去式ＰＲＯＭ、ＳＲＡＭ、フラッシュメモリ、メモリカード及びハードディスクドライブの内の一つにより構成することを特徴とする請求項１０記載のブルートゥース無線伝送手段を内蔵する赤外線リモコン構造。
【考案の詳細な説明】
【技術分野】
【０００１】
本考案は、一種のブルートゥース無線伝送機能又は手段を内蔵する赤外線リモコン構造に関し、特に、異なるブルートゥース機能を備える電子製品を選択し、すべての家電製品の動作をリモートコントロールすることができ、ブルートゥース無線伝送の技術を利用し有効距離内において、角度及び障害物の阻害隔絶を受けることなく、リモートエンドコントロールの機能を発揮することができ、極めて高いフレキシブル性及び利便性を備えるブルートゥース無線伝送手段を内蔵する赤外線リモコン構造に関する。
【背景技術】
【０００２】
従来より、家電の前まで歩いて行って調整するのが面倒、座ったままで家電をコントロールしたいという現代人の要求を達成するため、リモコンは現代のスマート家電において、欠くべからざる道具である。しかし、テレビ、ＤＶＤプレーヤー、音響システム、有線テレビボックス等家電のリモコンは種類が非常に多いため、使用者は座ったままではどのリモコンがどの家電製品に対応するかが分からない（特に、同一メーカーの家電を使用する家庭では殊更である）。
【０００３】
近時、一対一で家電製品と対応しなければならなかった伝統的なリモコンの不便から自由になり、赤外線リモコン中にブルートゥースモジュールを加えたものが開発されいる。
このブルートゥース(Bluetooth)とは、1998年にスェーデンのエリクソン、フィンランドのノキア、アメリカのインテルとIBM、日本の東芝で１０Mくらいの短距離無線データ通信の国際規格の名前で、例えば、（１）ケータイはカバンの中、それと結ばれた胸ポケットのペン音声通信は胸ポケットのペンだけで行え、（２）パソコンとケータイをブルートゥース対応通信カードで接続し、（３）カーオーディオとケータイを接続して音声で出来るメールの送受信が行え、（４）店舗のレジとケータイで接続してケータイで支払いを済ませることができ、（５）自動販売機とケータイを結んでケータイで支払いをし、（６）その他、地下鉄料金などの支払いも可能となる。ただし、短距離無線データ通信手段としては、赤外線ＩＲＤＡ通信や近接型非接触ＩＣカードなどがあある。
【特許文献１】特開２００６−２４５９５７号公報
【特許文献２】特開２００６−３０３５８４号公報
【考案の開示】
【考案が解決しようとする課題】
【０００４】
本考案は、家電のリモコンの種類が多過ぎ複雜に過ぎるという問題を解決するためになされたもので、現在あるいわゆる赤外線ユニバーサルユース型リモコン製品は、ある封鎖空間での使用に限定され、赤外線角度及び障害物の影響を受け、死角及び赤外線が障害物を貫通できない等の問題が発生するため、本考案はブルートゥース無線伝送の技術を利用し、異なる空間においてブルートゥース機能を備える電子製品により家電の動作をリモートコントロールするブルートゥース無線伝送手段を内蔵する赤外線リモコン構造を提供するものである。
【課題を解決するための手段】
【０００５】
上記課題を解決するため、本考案は下記のブルートゥース無線伝送を内蔵する赤外線リモコン構造を提供する。
上記公知技術の欠点を解決するため、本考案はブルートゥース無線伝送を内蔵する赤外線リモコン構造を提供し、
その主要な目的は、赤外線リモコン中にブルートゥースモジュールを加え、該ブルートゥースモジュールは外部のブルートゥース機能を備える電子製品の信号を受信可能で、複数の家電製品をリモートコントロールし、こうしてユニバーサルユースのリモコンの構造を構成し、一対一で家電製品と対応しなければならなかった伝統的なリモコンの不便さから自由になり、同時に使用者の様々な好みに応じて、異なるブルートゥース機能を備える電子製品を選択し、すべての家電製品の動作をリモートコントロールすることができ、ブルートゥース無線伝送の技術を利用し有効距離内において、角度及び障害物の阻害隔絶を受けることなく、リモートエンドコントロールの機能を発揮することができ、極めて高いフレキシブル性及び利便性を備え、本考案の別の目的はブルートゥース無線伝送を内蔵する赤外線リモコンに複数の赤外線発光ダイオードを設置し、もし少なくとも２個以上の赤外線発光ダイオードを採用し赤外線信号を発射するなら、赤外線発射信号拡大回路及びマイクロコントロールユニットに対応し死角のない広範囲の発射角度を達成することができる。
【０００６】
すなわち、本考案ブルートゥース無線伝送を内蔵する赤外線リモコン第一実施構造は以下を含み、
マイクロコントロールユニットは、信号処理及びデコード/エンコード動作を執行し、
赤外線発射信号拡大回路は、該マイクロコントロールユニットが出力する家電製品の各ファンクションキー制御に使用する周波数及びコントロールコード信号を拡大し、
赤外線発光ダイオードは赤外線信号を発射し、
ブルートゥースモジュールはブルートゥース機能を備える電子製品が行うブルートゥース無線伝送のデータを受信し、該データを該マイクロコントロールユニットに伝送し処理を行い、
また本考案ブルートゥース無線伝送を内蔵する赤外線リモコン第二実施構造は以下を含み、
マイクロコントロールユニットは信号処理及びデコード/エンコード動作を執行し、
若干の赤外線発光ダイオードは無線赤外線信号を発射し、
若干の赤外線感光ダイオードは無線赤外線信号を受信し、
赤外線発射信号拡大回路は、該マイクロコントロールユニットが出力する家電製品の各ファンクションキー制御に使用する周波数及びコントロールコード信号を拡大し、
赤外線受信信号拡大回路は、赤外線感光ダイオードが出力する家電製品の各ファンクションキー制御に使用する周波数及びコントロールコード信号を拡大し、
ブルートゥースモジュールはブルートゥース機能を備える電子製品が行うブルートゥース無線伝送のデータを受信し、該データを該マイクロコントロールユニットに伝送し処理を行い、
保存ユニットは新設定リモコンの周波数及びコントロールコードを保存するブルートゥース無線伝送を内蔵する赤外線リモコン構造を提供する。
【考案の効果】
【０００７】
上記のように、本考案によれば、赤外線リモコン中にブルートゥースモジュールを加え、該ブルートゥースモジュールは、外部のブルートゥース機能を備える電子製品の信号が受信可能で、複数の家電製品をリモートコントロールし、こうしてユニバーサルユースのリモコンの構造を構成し、一対一で家電製品と対応しなければならなかった伝統的なリモコンの不便から自由になり、同時に使用者の様々な好みに応じて、異なるブルートゥース機能を備える電子製品を選択し、すべての家電製品の動作をリモートコントロールすることができ、ブルートゥース無線伝送の技術を利用し有効距離内において、角度及び障害物の阻害隔絶を受けることなく、リモートエンドコントロールの機能を発揮することができる。
【考案を実施するための最良の形態】
【０００８】
以下に図を用い、本考案の好適なブルートゥース(Bluetooth)無線伝送手段を内蔵する赤外線リモコン構造の実施例の詳細構造及びその連結関係について説明する。
本考案の実施例のブルートゥース無線伝送手段を内蔵する赤外線リモコン第一実施構造の指示図である図１に示すように、それは赤外線発光ダイオード（Infrared LED）41、赤外線発射信号拡大回路4、マイクロコントロールユニット（MCU）2、電源電圧安定回路3、ブルートゥースモジュール1を含む。
該ブルートゥースモジュール1はＳＰＰ（シリアルポート伝送Serial Port Profile）規格を備えるため、異なるブルートゥースモジュールを備える電子製品がブルートゥース無線伝送データを行う時、同様に該ＳＰＰ規格に従い伝送及び制御動作を行い、該データを該マイクロコントロールユニットに伝送し処理を行う。
【０００９】
同時に、本考案の実施例は、ブルートゥースを備える電子製品に対応し複数の家電製品をリモートコントロールする構造の指示図である図３に示すように、該ブルートゥース機能を備える電子製品10はデスクトップコンピュータ（PC）10a、ノート型コンピュータ（NB）10b、PDA10c、携帯電話端末（Mobile Phone）10d、スマートフォン（Smart Phone）10e及びセットトップボックス（Set Top Box）10fで、本考案のブルートゥース無線伝送手段を内蔵する赤外線リモコン9によりブルートゥース信号制御を行う。
該セットトップボックス10fの信号供給源はローカルエリアネットワーク（LAN）、ブロードバンドネットワーク（ADSL及びCABLEを含む）及び一般電話線（PSTN及びLease Lineを含む）である。
該マイクロコントロールユニット2は大部分の家電製品のリモコンパラメーター表（図示なし）を内蔵し、該リモコンパラメーター表は家電製品の各ファンクションキー制御に使用する周波数及びコントロールコードを記載する。
しかも、該リモコンパラメーター表は記憶ユニット（図示なし）中に保存される。該記憶ユニットはマイクロコントロールユニット2に内蔵し、または該マイクロコントロールユニット2の外部回路に外付けすることもできる。該マイクロコントロールユニット2はさらに発信器（X’TAL）5を連接する。
【００１０】
該発信器5は石英材質により構成し、赤外線リモコンが必要な作業パルスを発する。該マイクロコントロールユニット2の出力ピンはさらに赤外線発射信号拡大回路4を連接し、家電製品の各ファンクションキー制御に使用する周波数及びコントロールコード信号を赤外線発射信号拡大回路4である信号拡大手段より増幅・拡大する。
該家電製品11はオーディオ/ビデオシステム（Audio Video System）11a及び音声プレーヤー（MP3プレーヤー或いはMP4A/V等）11b、無線テレビ（TV）11c、有線テレビ（Cable TV）11d、高密度A/V光ディスクプレーヤー（DVD Player）11e、録画機能付プレーヤー（VCR）11f、クーラー（Air Condition）11g及び赤外線リモコン受信手段(機能)を備えた設備等である。
該赤外線リモコン受信機能を備える設備は製品が日新月歩であるため、一つ一つ麗を挙げることはできないが、本考案の保護範囲に含む。該周波数及びコントロールコード信号は該赤外線発光ダイオードにより無線信号の発射を行い、家電製品11に伝達し赤外線ポートが受信し、家電製品11は使用者が望む制御動作を行う。
同時に該赤外線発射信号拡大回路4、該マイクロコントロールユニット2、該ブルートゥースモジュール1エンドにおいて、電源電圧安定回路（器）3を連接し必要電源の供給を受ける。該電源電圧安定器3は直流電圧上昇、電圧低下、電圧安定の機能を備え、該電源電圧安定回路3の電力供給源は電池組（直流）或いは変圧器（交流を直流に転換）の内の一つである。
【００１１】
本考案の実施例のブルートゥース無線伝送手段を内蔵する赤外線リモコン第二実施構造の指示図である図２に示すように、それは複数の赤外線発光ダイオード（Infrared LED）41、赤外線感光ダイオード（Photo Diode）61、赤外線発射信号拡大回路4、赤外線受信信号拡大回路6、マイクロコントロールユニット（MCU）2、電源電圧安定回路3、ブルートゥースモジュール1、保存ユニット(記憶装置)6を含む。
該複数の赤外線発光ダイオード41は信号発射手段(機能)を備え（本実施例は３個。41参照(図２)）、該赤外線感光ダイオード61は信号受信手段(機能)を備える。該赤外線発光ダイオード41が少なくとも２個以上を採用し、赤外線信号の発射を行う時には、該赤外線発射信号拡大回路4及び該マイクロコントロールユニット2に対応し広範囲で死角のない発射角度を提供することができる。
例えば、３個の赤外線発光ダイオードはそれぞれ120度を隔てて配列し、或いは４個の赤外線発光ダイオードはそれぞれ90度を隔てて配列し、さらには６個の赤外線発光ダイオードはそれぞれ60度を隔てて配列する。こうして死角のない広範囲の発射角度を達成することができるが、これらはすべて本考案の保護範囲に含む。
【００１２】
さらに、本実施例は受信信号手段(機能)を備える赤外線感光ダイオード61及び赤外線受信信号拡大(増幅)回路6を設置により、リモコン周波数及びコントロールコード学習の機能を備える。もし、該マイクロコントロールユニット2がリモコン家電製品の種類或いは型番号を内蔵していないなら、該家電製品に付属のメーカー製のリモコンを利用し、該受信信号機能赤外線感光ダイオード61に対応し信号発射動作を行う。該発射信号は該赤外線感光ダイオード61により受信された後、該赤外線受信信号拡大回路6に伝送され信号拡大動作を行い、さらに該マイクロコントロールユニット2に伝送され信号のサンプル取得を行い、信号処理を行う信号処理(手段)回路、デコード/エンコードを行う(手段)回路により処理及びデコード/エンコード動作を行う。取得したデータ信号を最後に保存ユニット7に伝送し保存する。
こうして、該新設定リモコンの周波数及びコントロールコードは、本考案の実施例のリモコン中に記憶され、リモコン周波数及びコントロールコード習得の目的を達成する。該保存ユニット7は電圧消去式ＰＲＯＭ（Electrically Erasable Programmable Read-Only Memory，EEPROM）、ＳＲＡＭ（Static Random Access Memory）、フラッシュメモリ（Flash Memory）、メモリカード（Memory Card）及びハードディスクドライブ（Hard Disk）により構成することができ、すべて本発明の保護範囲に含む。
同時に、該赤外線発射信号拡大回路4、該赤外線受信信号拡大回路6、該保存ユニット7、該マイクロコントロールユニット2、該ブルートゥースモジュール1エンドにおいて電源電圧安定回路(器)3を連接し、該電源電圧安定回路3は直流電圧上昇、電圧低下、電圧安定の手段(機能)を備え、該電源電圧安定回路3の電力供給源は電池組（直流）或いは変圧器（交流を直流に転換）の内の一つである。
【００１３】
上記図１〜３に示すように、本考案の実施例のブルートゥース無線伝送手段を内蔵する赤外線リモコン構造の技術特徴は、赤外線リモコン中にブルートゥースモジュールを加え、該ブルートゥースモジュールは外部のブルートゥース機能を備える電子製品の信号が受信可能で、複数の家電製品をリモートコントロールし、こうしてユニバーサルユースのリモコンの構造を構成し、一対一で家電製品と対応しなければならなかった伝統的なリモコンの不便さから自由になり、同時に使用者の様々な好みに応じて、異なるブルートゥース機能を備える電子製品を選択し、すべての家電製品の動作をリモートコントロールすることができ、ブルートゥース無線伝送の技術を利用し有効距離内において、角度及び障害物の阻害隔絶を受けることなく、リモートエンドコントロールの機能を発揮することができる。
【図面の簡単な説明】
【００１４】
【図１】本考案の実施例のブルートゥース無線伝送手段(機能)を内蔵する赤外線リモコン第一実施構造の指示図である。
【図２】本考案の実施例のブルートゥース無線伝送手段(機能)を内蔵する赤外線リモコン第二実施構造の指示図である。
【図３】本考案の実施例がブルートゥースを備える電子製品に対応し複数の家電製品をリモートコントロールする構造の指示図である。
【符号の説明】
【００１５】
1  ブルートゥースモジュール
2  マイクロコントロールユニット
3  電源電圧安定回路
4  赤外線発射信号拡大回路
41  赤外線発光ダイオード
5  発信器
6  赤外線受信信号拡大回路
61  赤外線感光ダイオード
7  保存ユニット
8  新リモコン
9  ブルートゥース無線伝送を内蔵する赤外線リモコン
10  ブルートゥース機能を備える電子製品
10a  デスクトップコンピュータ
10b  ノート型コンピュータ
10c  PDA
10d  携帯電話端末
10e  スマートフォン
10f  セットトップボックス
11  家電製品
11a  オーディオ/ビデオシステム
11b  音声プレーヤー
11c  無線テレビ
11d  有線テレビ
11e  高密度A/V光ディスクプレーヤー
11f  録画機能付プレーヤー
11g  クーラー
【図１】
0003135141.tif 000003
【図２】
0003135141.tif 000004
【図３】
0003135141.tif 000005